(57)【要約】【課題】ユーザ装置に所定のセルから周辺セルへの接続替えを行わせるオフロード技術において、接続替え後の接続先となる周辺セルにおける所望信号受信品質を改善する。【解決手段】ＣＲＥオフセット値に基づいて、ユーザ装置に所定のセルから周辺セルへの接続替えを行わせるＣＲＥ技術をサポートする移動通信システムにおいて使用される基地局において、前記基地局が形成する前記所定のセルに接続されるユーザ装置から第１の所望信号受信品質を受信する受信手段と、前記受信手段により受信した前記第１の所望信号受信品質に基づいて、前記ユーザ装置が周辺セルに接続したと仮定した場合における当該周辺セルでの所望信号受信品質である第２の所望信号受信品質が所定の閾値よりも大きくなるように、前記ＣＲＥオフセット値を算出する算出手段とを備える。【選択図】図５
2016096478.tif 000002
【特許請求の範囲】
【請求項１】
ＣＲＥオフセット値に基づいて、ユーザ装置に所定のセルから周辺セルへの接続替えを行わせるＣＲＥ技術をサポートする移動通信システムにおいて使用される基地局であって、
前記基地局が形成する前記所定のセルに接続されるユーザ装置から第１の所望信号受信品質を受信する受信手段と、
前記受信手段により受信した前記第１の所望信号受信品質に基づいて、前記ユーザ装置が周辺セルに接続したと仮定した場合における当該周辺セルでの所望信号受信品質である第２の所望信号受信品質が所定の閾値よりも大きくなるように、前記ＣＲＥオフセット値を算出する算出手段と
を備えることを特徴とする基地局。
【請求項２】
前記ユーザ装置から受信する前記所定のセルの受信電力、１つ又は複数の周辺セルの受信電力、及び前記ＣＲＥオフセット値に基づいて、前記ユーザ装置の接続替え先の周辺セルを決定し、前記ユーザ装置を当該周辺セルに接続させるための指示信号を前記ユーザ装置に送信する接続制御手段
を更に備えることを特徴とする請求項１に記載の基地局。
【請求項３】
前記第１の所望信号受信品質は、ＣＱＩ又はＳＩＮＲであり、前記第２の所望信号受信品質はＳＩＮＲである
ことを特徴とする請求項１又は２に記載の基地局。
【請求項４】
移動通信システムにおいて使用される基地局であって、
前記基地局が形成する所定のセルに接続されるユーザ装置から、当該所定のセルの受信電力と、１つ又は複数の周辺セルの受信電力を受信する受信手段と、
前記受信手段により受信した各セルの受信電力に基づいて、周辺セル毎に、前記ユーザ装置が周辺セルに接続したと仮定した場合における当該周辺セルでのＳＩＮＲを算出する算出手段と、
前記算出手段により算出されたＳＩＮＲのうち、所定の閾値よりも大きいＳＩＮＲに対応する周辺セルを、前記ユーザ装置の接続替え先の候補として決定する接続制御手段と
を備えることを特徴とする基地局。
【請求項５】
前記算出手段は、前記ユーザ装置が接続したと仮定する周辺セル以外の各セルにおける受信電力を当該周辺セルに対する干渉成分として用いることにより前記ＳＩＮＲを算出する
ことを特徴とする請求項４に記載の基地局。
【請求項６】
前記算出手段は、前記ユーザ装置が接続したと仮定する周辺セル以外の各セルにおけるリソース使用状態を加味した受信電力を当該周辺セルに対する干渉成分として用いることにより前記ＳＩＮＲを算出する
ことを特徴とする請求項４に記載の基地局。
【請求項７】
移動通信システムにおいて使用される基地局であって、
前記基地局が形成する所定のセルに接続されるユーザ装置から、当該所定のセルの受信品質と、１つ又は複数の周辺セルの受信品質を受信する受信手段と、
前記受信手段により受信した各セルの受信品質に基づいて、周辺セル毎に、前記ユーザ装置が周辺セルに接続したと仮定した場合における当該周辺セルでのＳＩＮＲを算出する算出手段と、
前記算出手段により算出されたＳＩＮＲのうち、所定の閾値よりも大きいＳＩＮＲに対応する周辺セルを、前記ユーザ装置の接続替え先の候補として決定する接続制御手段と
を備えることを特徴とする基地局。
【請求項８】
ＣＲＥオフセット値に基づいて、ユーザ装置に所定のセルから周辺セルへの接続替えを行わせるＣＲＥ技術をサポートする移動通信システムにおいて使用される基地局が実行するオフセット値算出方法であって、
前記基地局が形成する前記所定のセルに接続されるユーザ装置から第１の所望信号受信品質を受信する受信ステップと、
前記受信ステップにより受信した前記第１の所望信号受信品質に基づいて、前記ユーザ装置が周辺セルに接続したと仮定した場合における当該周辺セルでの所望信号受信品質である第２の所望信号受信品質が所定の閾値よりも大きくなるように、前記ＣＲＥオフセット値を算出する算出ステップと
を備えることを特徴とするオフセット値算出方法。
【請求項９】
移動通信システムにおいて使用される基地局が実行する接続セル決定方法であって、
前記基地局が形成する所定のセルに接続されるユーザ装置から、当該所定のセルの受信電力と、１つ又は複数の周辺セルの受信電力を受信する受信ステップと、
前記受信ステップにより受信した各セルの受信電力に基づいて、周辺セル毎に、前記ユーザ装置が周辺セルに接続したと仮定した場合における当該周辺セルでのＳＩＮＲを算出する算出ステップと、
前記算出ステップにより算出されたＳＩＮＲのうち、所定の閾値よりも大きいＳＩＮＲに対応する周辺セルを、前記ユーザ装置の接続替え先の候補として決定する接続制御ステップと
を備えることを特徴とする接続セル決定方法。
【発明の詳細な説明】
【技術分野】
【０００１】
本発明は、移動通信システムにおいて、ユーザ装置ＵＥのトラフィックをオフロードさせる技術に関連するものである。
【背景技術】
【０００２】
ＬＴＥでは、ヘテロジニアスネットワークの導入が進められている。ヘテロジニアスネットワークでは、マクロセルにおけるユーザ装置ＵＥのトラフィックを比較的送信電力の小さいスモールセル（例：ホットスポット）へとオフロードすることにより、無線ネットワークの容量拡大を行っている。
【０００３】
図１に、スモールセルが存在する移動通信システムの例を示す。図１に示すように、マクロセルを形成する基地局ｅＮＢ（以下、マクロｅＮＢと呼ぶ）と、スモールセルを形成する基地局ｅＮＢ（以下、スモールｅＮＢと呼ぶ）と、多数のユーザ装置ＵＥ（以下、ＵＥと呼ぶ）が存在する。ここで、スモールｅＮＢは、マクロｅＮＢとの間でＣｏＭＰのような協調動作を行う基地局ｅＮＢであってもよいし、マクロｅＮＢと光ファイバ等で接続される遠隔のアンテナ装置（無線部）であるＲＲＥ（Ｒｅｍｏｔｅ  Ｒａｄｉｏ  Ｅｑｕｉｐｍｅｎｔ）であってもよい。
【先行技術文献】
【非特許文献】
【０００４】
【非特許文献１】３ＧＰＰ  ＴＳ  ３６．２１４  Ｖ１１．１．０  （２０１２−１２）
【発明の概要】
【発明が解決しようとする課題】
【０００５】
ＵＥトラフィックのマクロセルからスモールセルへのオフロードを促進させるために、ＣＲＥ（Ｃｅｌｌ  ｒａｎｇｅ  ｅｘｐａｎｔｉｏｎ）と呼ばれる技術がある。ＣＲＥでは、マクロセルに接続しているＵＥにおいて、スモールセルからの受信レベル（受信電力）が所定の条件を満たす場合に、当該ＵＥをスモールセルへハンドオーバさせる。
【０００６】
具体的には、マクロセルからの参照信号に基づくＲＳＲＰ（Ｒｅｆｅｒｅｎｃｅ  Ｓｉｇｎａｌ  Ｒｅｃｅｉｖｅｄ  Ｐｏｗｅｒ）をＲＳＲＰｍａｃｒｏとし、スモールセルからの参照信号に基づくＲＳＲＰをＲＳＲＰｓｍａｌｌとし、ＴｈｒＣＲＥを所定の閾値（ＣＲＥオフセット値と呼ぶ）とした場合において、マクロセルに接続するＵＥが「ＲＳＲＰｍａｃｒｏ‐ＲＳＲＰｓｍａｌｌ＜ＴｈｒＣＲＥ」を満たす場合に、当該ＵＥはスモールセルにハンドオーバされる。
【０００７】
すなわち、ＴｈｒＣＲＥの分だけＲＳＲＰｓｍａｌｌに対して加算を行って、加算した値とＲＳＲＰｍａｃｒｏとを比較する。その結果、図２に示すように、スモールセルのサイズが実質的に拡張され、スモールセルへのトラフィックのオフロードが促進される。
【０００８】
しかし、従来のＣＲＥでは、全てのＵＥに対して一律のＣＲＥオフセット値を適用して、ベストセル（受信レベルが最大のセル）ではないスモールセルへの接続を行わせるため、スモールセルに接続したＵＥのＳＩＮＲ（所望信号受信品質の例）が劣化する場合があるという問題がある。このため、例えば、下り制御チャネル（ＰＤＣＣＨ等）の検出エラーが増加したり、データ（ＰＤＳＣＨ）のスループットが低下するという問題が生じる可能性がある。
【０００９】
本発明は上記の点に鑑みてなされたものであり、ユーザ装置に所定のセルから周辺セルへの接続替えを行わせるオフロード技術において、接続替え後の接続先となる周辺セルにおける所望信号受信品質を改善することを可能とする技術を提供することを目的とする。
【課題を解決するための手段】
【００１０】
本発明の実施の形態によれば、ＣＲＥオフセット値に基づいて、ユーザ装置に所定のセルから周辺セルへの接続替えを行わせるＣＲＥ技術をサポートする移動通信システムにおいて使用される基地局であって、
前記基地局が形成する前記所定のセルに接続されるユーザ装置から第１の所望信号受信品質を受信する受信手段と、
前記受信手段により受信した前記第１の所望信号受信品質に基づいて、前記ユーザ装置が周辺セルに接続したと仮定した場合における当該周辺セルでの所望信号受信品質である第２の所望信号受信品質が所定の閾値よりも大きくなるように、前記ＣＲＥオフセット値を算出する算出手段とを備える基地局が提供される。
【００１１】
また、本発明の実施の形態によれば、移動通信システムにおいて使用される基地局であって、
前記基地局が形成する所定のセルに接続されるユーザ装置から、当該所定のセルの受信電力と、１つ又は複数の周辺セルの受信電力を受信する受信手段と、
前記受信手段により受信した各セルの受信電力に基づいて、周辺セル毎に、前記ユーザ装置が周辺セルに接続したと仮定した場合における当該周辺セルでのＳＩＮＲを算出する算出手段と、
前記算出手段により算出されたＳＩＮＲのうち、所定の閾値よりも大きいＳＩＮＲに対応する周辺セルを、前記ユーザ装置の接続替え先の候補として決定する接続制御手段とを備える基地局が提供される。
【００１２】
また、本発明の実施の形態によれば、移動通信システムにおいて使用される基地局であって、
前記基地局が形成する所定のセルに接続されるユーザ装置から、当該所定のセルの受信品質と、１つ又は複数の周辺セルの受信品質を受信する受信手段と、
前記受信手段により受信した各セルの受信品質に基づいて、周辺セル毎に、前記ユーザ装置が周辺セルに接続したと仮定した場合における当該周辺セルでのＳＩＮＲを算出する算出手段と、
前記算出手段により算出されたＳＩＮＲのうち、所定の閾値よりも大きいＳＩＮＲに対応する周辺セルを、前記ユーザ装置の接続替え先の候補として決定する接続制御手段とを備える基地局が提供される。
【００１３】
また、本発明の実施の形態によれば、ＣＲＥオフセット値に基づいて、ユーザ装置に所定のセルから周辺セルへの接続替えを行わせるＣＲＥ技術をサポートする移動通信システムにおいて使用される基地局が実行するオフセット値算出方法であって、
前記基地局が形成する前記所定のセルに接続されるユーザ装置から第１の所望信号受信品質を受信する受信ステップと、
前記受信ステップにより受信した前記第１の所望信号受信品質に基づいて、前記ユーザ装置が周辺セルに接続したと仮定した場合における当該周辺セルでの所望信号受信品質である第２の所望信号受信品質が所定の閾値よりも大きくなるように、前記ＣＲＥオフセット値を算出する算出ステップとを備えるオフセット値算出方法が提供される。
【００１４】
また、本発明の実施の形態によれば、移動通信システムにおいて使用される基地局が実行する接続セル決定方法であって、
前記基地局が形成する所定のセルに接続されるユーザ装置から、当該所定のセルの受信電力と、１つ又は複数の周辺セルの受信電力を受信する受信ステップと、
前記受信ステップにより受信した各セルの受信電力に基づいて、周辺セル毎に、前記ユーザ装置が周辺セルに接続したと仮定した場合における当該周辺セルでのＳＩＮＲを算出する算出ステップと、
前記算出ステップにより算出されたＳＩＮＲのうち、所定の閾値よりも大きいＳＩＮＲに対応する周辺セルを、前記ユーザ装置の接続替え先の候補として決定する接続制御ステップとを備える接続セル決定方法が提供される。
【発明の効果】
【００１５】
本発明の実施の形態によれば、ユーザ装置に所定のセルから周辺セルへの接続替えを行わせるオフロード技術において、接続替え後の接続先となる周辺セルにおける所望信号受信品質を改善することを可能とする技術が提供される。
【図面の簡単な説明】
【００１６】
【図１】スモールセルが存在する移動通信システムの例を示す図である。
【図２】ＣＲＥを説明するための図である。
【図３】本発明の実施の形態における通信システムの構成図である。
【図４】第１の実施の形態の概要を説明するための図である。
【図５】第１の実施の形態における処理手順を説明するためのシーケンス図である。
【図６】オフロード前のＳＩＮＲとＣＲＥオフセット値との間の関係の例を示す図である。
【図７】第１の実施の形態の具体例におけるシステム構成図である。
【図８】各ＵＥのＣＲＥオフセット値を示す図である。
【図９】各ＵＥのＲＳＲＰを示す図である。
【図１０】第１の実施の形態における基地局の構成図である。
【図１１】第２の実施の形態の概要を説明するための図である。
【図１２】例２−１における処理手順を示すシーケンス図である。
【図１３】例２−１におけるＳＩＮＲ算出方法の特徴を説明するための図である。
【図１４】例２−２における処理手順を示すシーケンス図である。
【図１５】例２−２におけるＳＩＮＲ算出方法の特徴を説明するための図である。
【図１６】例２−３における処理手順を示すシーケンス図である。
【図１７】例２−３におけるＳＩＮＲ算出方法の特徴を説明するための図である。
【図１８】第２の実施の形態における基地局の構成図である。
【発明を実施するための形態】
【００１７】
以下、図面を参照して本発明の実施の形態を説明する。以下で説明する実施の形態は一例に過ぎず、本発明が適用される実施の形態は、以下の実施の形態に限られるわけではない。例えば、本実施の形態に係る移動通信システムはＬＴＥに準拠した方式のシステムを想定しているが、本発明はＬＴＥに限定されるわけではなく、他の方式にも適用可能である。なお、本明細書及び特許請求の範囲において、「ＬＴＥ」は、３ＧＰＰのリリース８、又は９に対応する通信方式のみならず、３ＧＰＰのリリース１０、１１、１２、１３もしくはそれ以降に対応する通信方式も含み得る広い意味で使用する。
【００１８】
また、「オフロード」の用語は、あるセルから他のセルにトラフィックを移行させることの意味で使用することを原則とするが、便宜上、「ＵＥをオフロードさせる」のように、ＵＥの接続先をあるセルから別のセルに移行させる意味（ハンドオーバと同様の意味）で使用する場合もある。
【００１９】
（システム構成）
図３に、本発明の実施の形態（第１の実施の形態と第２の実施の形態に共通）に係る通信システムの全体構成例を示す。本実施の形態に係る通信システムは、マクロセルを形成するマクロｅＮＢ、及びマクロセルのカバレッジエリア内にあるスモールｅＮＢを含む。また、図３には、マクロセルにおける複数のＵＥが示される。スモールｅＮＢは、マクロｅＮＢと光ファイバ等で接続されるＲＲＥであってもよいし、マクロｅＮＢと協調動作を行う基地局ｅＮＢであってもよい。
【００２０】
当該通信システムでは、低周波数帯でマクロｅＮＢによりマクロカバレッジを確保し、高周波数帯でスモールｅＮＢによりスモールエリア（例：ホットスポット）のトラフィックを吸収する構成としているが、このような周波数帯の割り当ては一例に過ぎず、これに限られるわけではない。
【００２１】
本実施の形態では、マクロセルからスモールセルにハンドオーバしたＵＥのＳＩＮＲが劣化する場合があるという前述した課題を解決する技術として、マクロｅＮＢが、ＵＥにおけるマクロセルでのＳＩＮＲ（所望信号受信品質と呼んでもよい）に基づいて、ＵＥ毎のＣＲＥオフセット値を決定し、当該ＣＲＥオフセット値に基づいてＵＥをスモールセルに接続させる技術１と、マクロｅＮＢが、ＵＥからの各セルの測定報告に基づいて、各セルのＳＩＮＲを算出し、当該ＳＩＮＲに基づいてＵＥをスモールセルに接続させる技術２がある。
【００２２】
以下、技術１を第１の実施の形態として説明し、技術２を第２の実施の形態として説明する。
【００２３】
なお、第１、第２の実施の形態では、ＲＳＲＰ、ＲＳＲＱを用いることから、ここで、ＲＳＲＰ、ＲＳＲＱについて説明しておく。
【００２４】
ＵＥが測定するＲＳＲＰは、例えば非特許文献１において定義されている通りであり、測定周波数帯域（ｃｏｎｓｉｄｅｒｅｄ  ｍｅａｓｕｒｅｍｅｎｔ  ｆｒｅｑｕｅｎｃｙ  ｂａｎｄｗｉｄｔｈ）における参照信号（ＣＲＳ）を運ぶリソースエレメントの電力の平均である。また、ＲＳＲＱは、例えば非特許文献１において定義されている通りであり、「Ｎ×ＲＳＲＰ／ＲＳＳＩ」により算出（測定）される。ここで、Ｎは、ＲＳＳＩの測定帯域（Ｅ−ＵＴＲＡ  ｃａｒｒｉｅｒ  ＲＳＳＩ  ｍｅａｓｕｒｅｍｅｎｔ  ｂａｎｄｗｉｄｔｈ）のリソースブロック数である。また、ＲＳＲＱにおけるＲＳＲＰとＲＳＳＩの測定は、同一リソースブロックのセットにおいて行う。ＲＳＳＩはＲｅｃｅｉｖｅｄ  Ｓｉｇｎａｌ  Ｓｔｒｅｎｇｔｈ  Ｉｎｄｉｃａｔｏｒの略であり、サービングセルからの所望信号、周辺セル（ｎｅｉｇｈｂｏｒｉｎｇ  ｃｅｌｌ）からの干渉信号、熱雑音による雑音信号等の全ての信号の受信電力（受信レベル）の合計である。
【００２５】
（第１の実施の形態）
上述したとおり、第１の実施の形態では、マクロｅＮＢが、マクロセルに接続するＵＥ毎に、当該ＵＥのＳＩＮＲに基づいてＣＲＥオフセット値を算出し、当該ＣＲＥオフセット値に基づいて当該ＵＥのオフロード判定を行う。図４の左側のグラフは、マクロセルに接続しているＵＥにおけるマクロセルでの受信レベル（ＲＳＲＰ）Ｓ１、各スモールセルでの受信レベルＳ２〜Ｓｉの例を示している。この場合、マクロセルに接続しているＵＥにとって、Ｓ２〜Ｓｉが干渉となるため、マクロセルに接続しているＵＥのＳＩＮＲ１は基本的にＳ１／Σｉ≠１（Ｓｉ）として算出できる。また、仮に、ＵＥが受信レベルＳ２のスモールセルに移行した場合、同様に、ＳＩＮＲ２を算出できる（図４の右側）。ただし、ＳＩＮＲ２は所定の値以上である必要がある。第１の実施の形態では、このような考え方に基づいて、ＣＲＥオフセット値を算出する。具体的な算出方法については後述する。
【００２６】
図５を参照して、第１の実施の形態における処理手順例を説明する。なお、ＣＲＥオフセット値の算出、オフロード判定等は、マクロセルに接続している各ＵＥに対して行われるものであるが、図５は、図示の便宜上、特定のＵＥに関する処理のみを示している。
【００２７】
図５に示すように、マクロセル（マクロｅＮＢ）に接続しているＵＥ（例：マクロセルにおいてＲＲＣ  Ｃｏｎｎｅｃｔｅｄ状態にあるＵＥ）は、例えば所定の周期で、マクロセルにおけるＣＱＩ（Ｃｈａｎｎｅｌ  Ｑｕａｌｉｔｙ  Ｉｎｄｉｃａｔｏｒ）をマクロｅＮＢに報告する（ステップ１０１）。本実施の形態では、ＵＥがマクロｅＮＢにマクロセルのＣＱＩを報告することとするが、ＳＩＮＲそのものを報告することとしてもよい。
【００２８】
ステップ１０２において、マクロｅＮＢは、ステップ１０１で受信したＣＱＩに対応するＳＩＮＲを求め、当該ＳＩＮＲに基づいて、ＣＲＥオフセット値を算出する。
【００２９】
なお、ＣＱＩは、ＵＥにおける受信データのエラー率が所定値以下となる最大のデータレートに相当する値であり、基本的に、ＳＩＮＲが大きいほどＣＱＩも大きくなる。本実施の形態では、マクロｅＮＢは、ＵＥ毎に、報告されたＣＱＩに対応するＳＩＮＲを一意に算出できる。ＳＩＮＲの算出にあたっては、ＣＱＩとＳＩＮＲとを対応付けたテーブルを保持し、当該テーブルを参照して求めることとしてもよいし、所定の数式を用いてＣＱＩをＳＩＮＲに変換してもよい。
【００３０】
ステップ１０２において、マクロｅＮＢは、例えばＰＤＣＣＨ検出のための最小ＳＩＮＲ（下記の定数Ｔ（ｄＢ））を満足するように当該ＵＥ個別のＣＲＥオフセット値を算出する。具体的には、ＣＲＥオフセット値をｘ（線形値）とすると、ｘは、下記のＣＲＥオフセット値算出式の右辺の値よりも小さい値として決定される。つまり、右辺の値を上限とする値として決定される。
【００３１】
【数１】
2016096478.tif 000003
上記のＣＲＥオフセット値算出式の導き方は後述する。前述したように、ＲＳＲＰｓｍａｌｌが「ＲＳＲＰｍａｃｒｏ‐ＲＳＲＰｓｍａｌｌ＜ＴｈｒＣＲＥ」を満たす場合に、スモールセルへのトラフィックオフロードを行うことができるから、ｘ（上記ＴｈｒＣＲＥ）が大きいほどスモールセルへのオフロードがされ易くなり、ｘが小さいほど、スモールセルへのオフロードがされ難くなる。マクロｅＮＢは、例えば、マクロｅＮＢが混雑しており、積極的にスモールセルへのトラフィックオフロードを実施したい場合は、ｘとして上限値を採用することが考えられる、逆に、積極的にオフロードを実施する必要がない場合は、例えば、ｘとして上限値よりも所定の値だけ小さい値を採用することが考えられる。
【００３２】
ステップ１０３において、マクロｅＮＢは、ステップ１０２で算出したＣＲＥオフセット値を用いることで、オフロードを実行可能なスモールセルの有無を判定し、オフロードを実行するか否かを決定する。
【００３３】
ここでは、ＵＥから、例えば測定報告（ｍｅａｓｕｒｅｍｅｎｔ  ｒｅｐｏｒｔ）により、マクロセルのＲＳＲＰｍａｃｒｏと各スモールセル（ある程度の大きさの受信レベルのスモールセル）のＲＳＲＰｓｍａｌｌがマクロｅＮＢに報告されており、マクロｅＮＢは、「ＲＳＲＰｍａｃｒｏ‐ＲＳＲＰｓｍａｌｌ＜ＴｈｒＣＲＥ」を満たすスモールセルがあれば、当該スモールセルをトラフィックオフロード先のスモールセル候補として決定する。条件を満たすスモールセルが１つであれば、当該スモールセルをトラフィックオフロード先のスモールセルとして決定する。条件を満たすスモールセルが複数ある場合には、例えば、ＲＳＲＰｓｍａｌｌが最大のスモールセルを選択する。また、条件を満たすスモールセルが複数ある場合に、混雑度（例：接続ＵＥ数）が最小のスモールセルをトラフィックオフロード先のスモールセルとして決定することとしてもよい。
【００３４】
ステップ１０４では、マクロｅＮＢは、ＵＥに対して、ステップ１０３で決定したスモールセルへのハンドオーバを行うよう接続指示（例：ＲＲＣ  Ｃｏｎｎｅｃｔｉｏｎ  Ｒｅｃｏｎｆｉｇｕｒａｔｉｏｎ）を送信する。当該指示に従って、ＵＥはスモールセルに接続して通信を行う（ステップ１０５）。
【００３５】
図６は、オフロード前のＳＩＮＲ（横軸）とＣＲＥオフセット値（縦軸）との関係を示す図である。図６に示す上側のカーブが、ＣＲＥ算出式の右辺の値に対応し、このカーブがＣＲＥオフセット値の上限（最大）になる。また、その下の直線（点線）は、ＣＲＥオフセット値の下限（最小）を示す。図示するように、最大ＣＲＥカーブと点線との間の値が取り得るＣＲＥオフセット値となる。
【００３６】
＜ＣＲＥオフセット算出式の導出方法＞
ここで、上記のＣＲＥオフセット算出式の導出方法を説明する。以下では、Ｓ１を第１セル（マクロセル）のＲＳＲＰとし、Ｓ２を第２セル（オフロード先候補のスモールセル）のＲＳＲＰとする。また、オフロード先のスモールセルのＳＩＮＲはＴ（ｄＢ）よりも大きいことを条件とする。
【００３７】
オフロード前のＳＩＮＲであるＳＩＮＲ１は、下記の式（１）で表すことができる。
【００３８】
【数２】
2016096478.tif 000004
上記の式（１）においてＮは熱雑音、Ｉは他セル干渉を示す。以下、同様である。ＣＲＥオフセット値（ｘ（線形値））の条件に基づいて、第２セルへのオフロードがなされた場合のＳＩＮＲ２は、下記の式（２）で表すことができる。
【００３９】
【数３】
2016096478.tif 000005
上記のように、ＣＲＥオフセット値がｘであるとすると、下記の式（３）が得られる
【００４０】
【数４】
2016096478.tif 000006
式（３）を式（１）に代入することで、下記の式（４）が得られる。
【００４１】
【数５】
2016096478.tif 000007
式（３）と式（４）を式（２）に代入することで、下記の式（５）が得られる。
【００４２】
【数６】
2016096478.tif 000008
オフロード先の第２セルにおけるＳＩＮＲ２はＴ（線形値）より大きいものとすると、下記の式（６）が得られる。
【００４３】
【数７】
2016096478.tif 000009
上記の式をｘ（線形値）で整理することで、下記のＣＲＥオフセット算出式が得られる。
【００４４】
【数８】
2016096478.tif 000010
＜具体例＞
以下、第１の実施の形態におけるより具体的な例を説明する。ここでは、図７に示すように、マクロｅＮＢ配下のマクロセルカバレッジ内に、スモールセル＃１（ＳＣ＃１と記述する）と、スモールセル＃２（ＳＣ＃２と記述する）が存在し、また、ＵＥ＃１とＵＥ＃２がマクロセルに接続されているものとする。
【００４５】
ＵＥ＃１とＵＥ＃２はそれぞれマクロｅＮＢにＣＱＩをフィードバックし、マクロｅＮＢは、ＣＱＩからそれぞれのＳＩＮＲを求める。ここでは、一例として、ＵＥ＃１のＳＩＮＲが−４ｄＢであり、ＵＥ＃２のＳＩＮＲが０ｄＢであるとする。
【００４６】
マクロｅＮＢは、上記ＳＩＮＲの値に基づき、ＣＲＥオフセット算出式を用いて、各ＵＥのＣＲＥオフセット値を決定する。ここでは、一例として、ＵＥ＃１のＣＲＥオフセット値が２ｄＢであり、ＵＥ＃２のＣＲＥオフセット値が５ｄＢとして決定されたものとする。この値を図６の形式で示した場合、図８に示すとおりとなる。
【００４７】
マクロｅＮＢは、上記のＣＲＥオフセット値に基づいて、各ＵＥについてトラフィックオフロード先とするスモールセルを決定し、各ＵＥの接続先を当該スモールセルに移行させる（各ＵＥをハンドオーバさせる）。
【００４８】
ここでは、一例として、ＵＥ＃１からマクロｅＮＢに報告されるＵＥ＃１における各セルのＲＳＲＰが図９（ａ）に示すとおりであり、ＵＥ＃２からマクロｅＮＢに報告されるＵＥ＃２における各セルのＲＳＲＰが図９（ｂ）に示すとおりであるものとする。
【００４９】
ＵＥ＃１について、図９（ａ）に示すとおり、マクロｅＮＢは、「ＲＳＲＰｍａｃｒｏ‐ＲＳＲＰｓｍａｌｌ＜２」を満たすＳＣ＃１とＳＣ＃２のうち、ＲＳＲＰが大きいほうのＳＣ＃１をオフロード先のスモールセルとして決定し、ＵＥ＃１をＳＣ＃１にハンドオーバさせる。
【００５０】
ＵＥ＃２については、図９（ｂ）に示すとおり、マクロｅＮＢは、「ＲＳＲＰｍａｃｒｏ‐ＲＳＲＰｓｍａｌｌ＜５」を満たすＳＣ＃２をオフロード先のスモールセルとして決定し、ＵＥ＃２をＳＣ＃２にハンドオーバさせる。
【００５１】
＜基地局ｅＮＢの構成例＞
図１０に、本実施の形態におけるマクロｅＮＢとして使用される基地局ｅＮＢの機能構成図を示す。図１０に示すように、基地局ｅＮＢは、ＵＬ信号受信部１０１、ＤＬ信号送信部１０２、ＣＲＥオフセット値算出部１０３、オフロード制御部１０４を有する。なお、図１０は、基地局ｅＮＢにおいて本発明の実施の形態に特に関連する機能部のみを示すものであり、少なくともＬＴＥ方式に準拠した動作を行うための図示しない機能も有するものである。また、図１０に示す機能構成は一例に過ぎない。本実施の形態に係る動作を実行できるのであれば、機能区分や機能部の名称はどのようなものでもよい。
【００５２】
ＵＬ信号受信部１０１は、ＵＥから各種の上り信号を受信し、受信した物理レイヤの信号からより上位のレイヤの情報を取得する機能を含む。ＤＬ信号送信部１０２は、基地局ｅＮＢから送信されるべき上位のレイヤの情報から、物理レイヤの各種信号を生成し、ＵＥに対して送信する機能を含む。図１０に示す構成においては、各ＵＥに対して測定指示を行って、ＲＳＲＰ／ＲＳＲＱを取得する機能、及び、各ＵＥからＣＱＩを取得する機能は、ＵＬ信号受信部１０１／ＤＬ信号送信部１０２が備えている。
【００５３】
ＣＲＥオフセット値算出部１０３は、各ＵＥから受信するマクロセルのＲＳＲＰに基づき、ＣＲＥオフセット算出式を用いることにより、ＵＥ個別のＣＲＥオフセット値を算出（決定）する。
【００５４】
オフロード制御部１０４は、ＵＥ毎に、ＣＲＥオフセット値算出部１０３により算出されたＣＲＥオフセット値と、ＵＥから受信する各セルのＲＳＲＰに基づいて、当該ＵＥのトラフィックオフロード先となるスモールセルを決定し、当該スモールセルへのハンドオーバを行わせる指示信号を作成し、ＤＬ信号送信部１０２から送信する機能を含む。
【００５５】
以上、説明したように、本実施の形態では、ＣＲＥオフセット値に基づいて、ユーザ装置に所定のセルから周辺セルへの接続替えを行わせるＣＲＥ技術をサポートする移動通信システムにおいて使用される基地局であって、前記基地局が形成する前記所定のセルに接続されるユーザ装置から第１の所望信号受信品質を受信する受信手段と、前記受信手段により受信した前記第１の所望信号受信品質に基づいて、前記ユーザ装置が周辺セルに接続したと仮定した場合における当該周辺セルでの所望信号受信品質である第２の所望信号受信品質が所定の閾値よりも大きくなるように、前記ＣＲＥオフセット値を算出する算出手段とを備えることを特徴とする基地局が提供される。
【００５６】
上記の構成により、ユーザ装置に所定のセルから周辺セルへの接続替えを行わせるオフロード技術において、接続替え後の接続先となる周辺セルにおける所望信号受信品質を改善することを可能とする技術が提供される。
【００５７】
前記基地局は、前記ユーザ装置から受信する前記所定のセルの受信電力、１つ又は複数の周辺セルの受信電力、及び前記ＣＲＥオフセット値に基づいて、前記ユーザ装置の接続替え先の周辺セルを決定し、前記ユーザ装置を当該周辺セルに接続させるための指示信号を前記ユーザ装置に送信する接続制御手段を更に備えることとしてもよい。この構成により、適切な周辺セルへの接続替えを実施することができる。
【００５８】
例えば、前記第１の所望信号受信品質は、ＣＱＩ又はＳＩＮＲであり、前記第２の所望信号受信品質はＳＩＮＲである。このように、第１の所望信号受信品質としてＣＱＩ又はＳＩＮＲを使用することで、ＵＥからＣＱＩをｅＮＢに報告する方式と、ＵＥからＳＩＮＲをｅＮＢに報告する方式のいずれの場合でも本発明を適用することができる。
【００５９】
例えば、前記所定のセルはマクロセルであり、前記周辺セルはスモールセルである。この構成により、マクロセルとスモールセルから構成されるヘテロジニアスネットワークにおいて、接続替え後の接続先となるスモールセルにおける所望信号受信品質を改善することができる。
【００６０】
（第２の実施の形態）
次に、第２の実施の形態を説明する。第２の実施の形態では、マクロｅＮＢは、ＵＥから各セルのＲＳＲＰ（又はＲＳＲＱ）を受信し、受信した測定値に基づいてＵＥの各スモールセルでのＳＩＮＲを算出（推定）し、当該ＳＩＮＲに基づいて、ＵＥのトラフィックのオフロード先とするスモールセルを決定するものである。
【００６１】
第２の実施の形態では、例２−１、例２−２、例２−３の３つの例を説明する。図１１に示すように、例２−１では、各セルにおけるロード情報（ＤＬのリソース使用率）を考慮せずにＲＳＲＰを用いてＳＩＮＲを推定する。例２−２では、各セルのロード情報を考慮してＲＳＲＰを用いてＳＩＮＲを推定する。例２−３では、各セルのロード情報を考慮してＲＳＲＱを用いてＳＩＮＲを推定する。
【００６２】
各例において、マクロｅＮＢは、ＵＥ毎に、各スモールセル（接続セル以外のセル）のＳＩＮＲと所定の閾値（例：−７）とを比較して、所定の閾値よりも大きなＳＩＮＲのセルをオフロード先のスモールセル候補とする。オフロード先のスモールセル候補が１つであれば当該セルをオフロード先とすることができる。オフロード先のスモールセル候補が複数ある場合は、例えば、ＳＩＮＲが最も大きなセルをオフロード先のセルとして決定する。また、セルの混雑度（例：接続ＵＥの数）が小さいスモールセルを優先的に選択することとしてもよい。以下、例２−１、例２−２、例２−３をそれぞれ説明する。
【００６３】
＜例２−１＞
図１２を参照して例２−１における処理手順例を説明する。マクロｅＮＢは、測定設定情報（Ｍｅａｓｕｒｅｍｅｎｔ  ｃｏｎｆｉｇｕｒａｔｉｏｎ）をＵＥに送信することにより、測定を指示する（ステップ２０１）。当該測定設定情報には、例えば、測定対象とするセルの周波数、測定量（ＲＳＲＰ、ＲＳＲＱ等）、報告方法（周期的に報告する等）等が含まれる。他の例でも同様である。本例では、ＵＥは、当該測定設定情報により、接続セル（マクロセル）、及び各周辺セル（スモールセル）のＲＳＲＰを測定し、測定結果をマクロｅＮＢに報告することを把握する。この報告は、例えば周期的になされる。
【００６４】
ステップ２０２において、ＵＥは、各セルから受信する参照信号に基づき、各セルのＲＳＲＰを測定する。そして、ステップ２０３において、ＵＥは、測定結果（各セルのＲＳＲＰを含む）を測定報告（Ｍｅａｓｕｒｅｍｅｎｔ  ｒｅｐｏｒｔ）としてマクロｅＮＢに送信する。図１２では、セルｊのＲＳＲＰがＲＳＲＰｊと表記されている。
【００６５】
各セルのＲＳＲＰを受信したマクロｅＮＢは、下記のようにして、セルｊのＳＩＮＲであるＳＩＮＲｊを算出する（ステップ２０４）。
【００６６】
【数９】
2016096478.tif 000011
上記の式は、該当セル（ｊ）における所望信号の受信レベル（ＲＳＲＰｊ）を、当該セルｊの周辺セルｉ（ｉ≠ｊ）のＲＳＲＰの合計（所望信号に対する干渉）で割ることでＳＩＮＲｊを求めるものである。
【００６７】
ステップ２０４では、各スモールセルのＳＩＮＲが算出される。ステップ２０５において、マクロｅＮＢは、ステップ２０４で算出された各スモールセルのＳＩＮＲを所定の閾値（例：ＰＤＣＣＨを正常に受信するために必要な値）と比較して、当該所定の閾値よりも大きなＳＩＮＲのスモールセルをオフロード先候補のスモールセルとする。マクロｅＮＢは、当該オフロード先候補のスモールセルが１つであれば当該スモールセルをオフロード先として決定する。また、オフロード先候補のスモールセルが複数であれば、例えばＳＩＮＲが最も大きなスモールセルをオフロード先のセルとして決定する。その後は、第１の実施の形態における図５のステップ１０４、１０５と同様に、ＵＥを当該スモールセルにハンドオーバさせる。
【００６８】
例２−１では、各セルのロード情報を考慮せずに、周辺セルｉ（ｉ≠ｊ）のＲＳＲＰの合計を干渉成分として算出している。言い換えると、全てのセルにデータが割り当てられていることを想定して、安全側でＳＩＮＲｊを算出していることになる。
【００６９】
図１３は、例２−１における算出方法の特徴を説明するための図である。図１３に示す例では（図１５、図１７も同様）、図７に示した場合と同様に、マクロセル、スモールセルＳＣ＃１、スモールセルＳＣ＃２が存在する。図１３に示すように、各セルにおいて、ＲＳＲＰの測定対象となる参照信号（ＣＲＳ）がマッピングされ、サブフレーム毎に下り制御チャネル（ＰＤＣＣＨを含む）の領域が到来する。また、データ（ＰＤＳＣＨ）の割り当てがあるサブフレームと割り当てがないサブフレームが存在することが示される。
【００７０】
データの割り当てがないセルから、他のセルに対しては、データ送信による干渉は生じないが、下り制御チャネルについては、サブフレーム間隔で下り制御情報が送られるため、データ（ＰＤＳＣＨ）の割り当ての有無に関わらず、他セルへの干渉になる。例２−１では、このような干渉を考慮して、安全側のＳＩＮＲを算出できる。
【００７１】
＜例２−２＞
図１４を参照して例２−２における処理手順例を説明する。マクロｅＮＢは、測定設定情報（Ｍｅａｓｕｒｅｍｅｎｔ  ｃｏｎｆｉｇｕｒａｔｉｏｎ）をＵＥに送信することにより、測定を指示する（ステップ３０１）。例２−１と同様に、本例では、ＵＥは、当該測定設定情報により、接続セル（マクロセル）、及び各周辺セル（スモールセル）のＲＳＲＰを測定し、測定結果をマクロｅＮＢに報告することを把握する。この報告は、例えば周期的になされる。
【００７２】
ステップ３０２において、ＵＥは、各セルから受信する参照信号に基づき、各セルのＲＳＲＰを測定する。そして、ステップ３０３において、ＵＥは、測定結果（各セルのＲＳＲＰを含む）を測定報告（Ｍｅａｓｕｒｅｍｅｎｔ  ｒｅｐｏｒｔ）としてマクロｅＮＢに送信する。図１４では、セルｊのＲＳＲＰがＲＳＲＰｊと表記されている。
【００７３】
また、本例では、マクロｅＮＢは各スモールセルのロード情報（リソース使用率情報）を取得する（ステップ３０４）。ロード情報は、例えば、所定期間毎（例：サブフレーム毎）に、当該所定期間におけるリソース使用率情報として取得される。ロード情報は、例えば、ＰＤＳＣＨ割り当て可能リソース中の割り当てリソースの割合である。より具体的な例としては、例えば、当該所定期間において、ＰＤＳＣＨ割り当て可能リソースが１００ＲＢであるとした場合に、使用されている（データ割り当てのある）リソースが１０ＲＢであるとすると、ロード情報は０．１（１０／１００）として与えられる。
【００７４】
スモールセルが基地局ｅＮＢにより形成される場合、マクロｅＮＢは基地局間通信（Ｘ２インターフェース）によりロード情報を取得できる。また、スモールセルがＲＲＥにより形成される場合、マクロｅＮＢは各セルにおけるスケジューリング情報からロード情報を取得できる。また、マクロｅＮＢは、自セル（マクロセル）のロード情報も取得する。ロード情報の内容や取得方法に関しては例２−３においても同様である。
【００７５】
各セルのＲＳＲＰ、及びロード情報を取得したマクロｅＮＢは、下記のようにして、セルｊのＳＩＮＲであるＳＩＮＲｊを算出する（ステップ３０５）。
【００７６】
【数１０】
2016096478.tif 000012
上記の式は、該当セル（ｊ）における所望信号の受信レベル（ＲＳＲＰｊ）を、当該セルｊの周辺セルｉ（ｉ≠ｊ）におけるＲＳＲＰとロード情報との積の合計（所望信号に対する干渉）で割ることでＳＩＮＲｊを求めるものである。
【００７７】
ステップ３０５では、各スモールセルのＳＩＮＲが算出される。ステップ３０６において、マクロｅＮＢは、ステップ３０５で算出された各スモールセルのＳＩＮＲを所定の閾値（例：ＰＤＣＣＨを正常に受信するために必要な値）と比較して、当該所定の閾値よりも大きなＳＩＮＲのスモールセルをオフロード先候補のスモールセルとする。マクロｅＮＢは、当該オフロード先候補のスモールセルが１つであれば当該スモールセルをオフロード先として決定する。また、オフロード先候補のスモールセルが複数であれば、例えばＳＩＮＲが最も大きなスモールセルをオフロード先のセルとして決定する。その後は、第１の実施の形態における図５のステップ１０４、１０５と同様に、ＵＥを当該スモールセルにハンドオーバさせる。
【００７８】
なお、ロード情報は、頻繁に変化することが考えられるため、ある期間で取得された複数のロード情報の平均をとった値をＳＩＮＲｊの算出に使用することとしてもよい。
【００７９】
例２−２では、各セルのロード情報を考慮して、周辺セルｉ（ｉ≠ｊ）のＲＳＲＰの合計を干渉成分として算出している。これにより、図１５に示すように、ＰＤＳＣＨの影響をより正確に反映したＳＩＮＲｊを算出することが可能である。
【００８０】
＜例２−３＞
図１６を参照して例２−３における処理手順例を説明する。マクロｅＮＢは、測定設定情報（Ｍｅａｓｕｒｅｍｅｎｔ  ｃｏｎｆｉｇｕｒａｔｉｏｎ）をＵＥに送信することにより、測定を指示する（ステップ４０１）。本例では、ＵＥは、当該測定設定情報により、接続セル（マクロセル）、及び各スモールセルのＲＳＲＱを測定（算出）し、測定結果をマクロｅＮＢに報告することを把握する。この報告は、例えば周期的になされる。
【００８１】
ステップ４０２において、ＵＥは、各セルから受信する参照信号に基づき、各セルのＲＳＲＰを測定するとともに、帯域内全電力ＲＳＳＩを測定してＲＳＲＱ（ＲＳＲＰ／ＲＳＲＱ）を求める。そして、ステップ４０３において、ＵＥは、測定結果（各セルのＲＳＲＱを含む）を測定報告（Ｍｅａｓｕｒｅｍｅｎｔ  ｒｅｐｏｒｔ）としてマクロｅＮＢに送信する。図１６では、セルｊのＲＳＲＱがＲＳＲＱｊと表記されている。
【００８２】
また、例２−２と同様に、マクロｅＮＢは各スモールセル（及びマクロセル）のロード情報（リソース使用率情報）を取得する（ステップ４０４）。ロード情報の内容、及び取得方法は例２−２と同様である。
【００８３】
各セルのＲＳＲＱ、及びロード情報を取得したマクロｅＮＢは、下記のようにして、セルｊのＳＩＮＲであるＳＩＮＲｊを算出する（ステップ４０５）。
【００８４】
【数１１】
2016096478.tif 000013
上記の式は、ＲＳＲＱにおけるＲＳＳＩ成分に対してロード情報を加味してＳＩＮＲｊを求めることに相当し、具体的には以下のようにして導出される。
【００８５】
まず、ＳｊをセルｊにおけるＲＳＲＰとする。ここでは、ＲＳＲＰ、ＲＳＳＩの測定を、１ＲＢの帯域幅（１８０ｋＨＺ）及び所定時間幅（例：１リソースエレメントの時間幅）の単位で考えることとする。１ＲＢ当たりに２つの参照信号が含まれ、ＲＳＲＰは、２つの参照信号の受信レベルの合計を２で割った値（つまり平均）として算出される。このような想定において、ＲＳＲＱｊは以下の式（１１）のように表すことができる。
【００８６】
【数１２】
2016096478.tif 000014
上記の式（１１）の右辺において、分母はＲＳＳＩを表す。２×Ｓｊは該当セルに関しての参照信号の全受信レベルを示し、１０×Ｓｊ×ｌｏａｄｊは、ロード情報(リソース使用率)を考慮した、データ部分の全受信電力を示す。１ＲＢあたり、１２リソースエレメントとなるため、参照信号を除いた残りが１０リソースエレメントとなる。またΣの部分は、周辺セルについて上記と同様の計算を行って加算するものである。式（１１）を変形することで、下記の式（１２）、式（１３）が得られ、最終的にＲＳＲＱｊが式（１４）として得られる。
【００８７】
【数１３】
2016096478.tif 000015
【００８８】
【数１４】
2016096478.tif 000016
【００８９】
【数１５】
2016096478.tif 000017
ステップ４０５では、各スモールセルのＳＩＮＲが算出される。ステップ４０６において、マクロｅＮＢは、ステップ４０５で算出された各スモールセルのＳＩＮＲを所定の閾値（例：ＰＤＣＣＨを正常に受信するために必要な値）と比較して、当該所定の閾値よりも大きなＳＩＮＲのスモールセルをオフロード先候補のスモールセルとする。マクロｅＮＢは、当該オフロード先候補のスモールセルが１つであれば当該スモールセルをオフロード先として決定する。また、オフロード先候補のスモールセルが複数であれば、例えばＳＩＮＲが最も大きなスモールセルをオフロード先のセルとして決定する。その後は、第１の実施の形態における図５のステップ１０４、１０５と同様に、ＵＥを当該スモールセルにハンドオーバさせる。
【００９０】
なお、ロード情報は、頻繁に変化することが考えられるため、ある期間で取得された複数のロード情報の平均をとった値をＳＩＮＲｊの算出に使用することとしてもよい。
【００９１】
例２−３では、各セルのロード情報を考慮して、ＲＳＲＱにおけるＲＳＳＩを算出している。これにより、図１７に示すように、ＰＤＳＣＨとＰＤＣＣＨ（下り制御チャネル）の影響を反映させたＳＩＮＲｊを算出することが可能である。
【００９２】
なお、例２−３において、ロード情報を用いることは必須ではなく、例２−１と同様に、ロード情報を用いないこととしてもよい。
【００９３】
＜基地局ｅＮＢの構成例＞
図１８に、本実施の形態における例２−１、例２−２、例２−３の動作を実行可能なマクロｅＮＢとして使用される基地局ｅＮＢの機能構成図を示す。図１８に示すように、基地局ｅＮＢは、ＵＬ信号受信部２０１、ＤＬ信号送信部２０２、ロード情報取得部２０３、ＳＩＮＲ算出部２０４、オフロード制御部２０５を有する。なお、図１８は、基地局ｅＮＢにおいて本発明の実施の形態に特に関連する機能部のみを示すものであり、少なくともＬＴＥ方式に準拠した動作を行うための図示しない機能も有するものである。また、図１８に示す機能構成は一例に過ぎない。本実施の形態に係る動作を実行できるのであれば、機能区分や機能部の名称はどのようなものでもよい。
【００９４】
ＵＬ信号受信部２０１は、ＵＥから各種の上り信号を受信し、受信した物理レイヤの信号からより上位のレイヤの情報を取得する機能を含む。ＤＬ信号送信部２０２は、基地局ｅＮＢから送信されるべき上位のレイヤの情報から、物理レイヤの各種信号を生成し、ＵＥに対して送信する機能を含む。図１８に示す構成においては、各ＵＥに対して測定指示を行って、ＲＳＲＰ／ＲＳＲＱを取得する機能は、ＵＬ信号受信部１０１／ＤＬ信号送信部１０２が備えている。
【００９５】
ロード情報取得部２０３は、例２−２、例２−３で説明したように各セルのロード情報を取得する機能を有する。基地局ｅＮＢを例２−１のみの動作で使用する場合、ロード情報取得部２０３を備えなくてもよい。ＳＩＮＲ算出部２０４は、例２−１の動作を行う場合は図１２のステップ２０４におけるＳＩＮＲ算出を行う。また、ＳＩＮＲ算出部２０４は、例２−２の動作を行う場合は図１４のステップ３０５におけるＳＩＮＲ算出を行う。また、ＳＩＮＲ算出部２０４は、例２−３の動作を行う場合は図１６のステップ４０５におけるＳＩＮＲ算出を行う。
【００９６】
オフロード制御部２０５は、ＵＥ毎に、ＳＩＮＲ算出部２０４により算出された各スモールセルのＳＩＮＲに基づいて、当該ＵＥのトラフィックオフロード先となるスモールセルを決定し、当該スモールセルへのハンドオーバを行わせる指示信号を作成し、ＤＬ信号送信部２０２から送信する機能を含む。
【００９７】
以上、説明したように、本実施の形態により、移動通信システムにおいて使用される基地局であって、前記基地局が形成する所定のセルに接続されるユーザ装置から、当該所定のセルの受信電力と、１つ又は複数の周辺セルの受信電力を受信する受信手段と、前記受信手段により受信した各セルの受信電力に基づいて、周辺セル毎に、前記ユーザ装置が周辺セルに接続したと仮定した場合における当該周辺セルでのＳＩＮＲを算出する算出手段と、前記算出手段により算出されたＳＩＮＲのうち、所定の閾値よりも大きいＳＩＮＲに対応する周辺セルを、前記ユーザ装置の接続替え先の候補として決定する接続制御手段とを備えることを特徴とする基地局が提供される。
【００９８】
上記の構成により、ユーザ装置に所定のセルから周辺セルへの接続替えを行わせるオフロード技術において、接続替え後の接続先となる周辺セルにおける所望信号受信品質を改善することを可能とする技術が提供される。
【００９９】
前記算出手段は、例えば、前記ユーザ装置が接続したと仮定する周辺セル以外の各セルにおける受信電力を当該周辺セルに対する干渉成分として用いることにより前記ＳＩＮＲを算出する。この構成により、データが常にリソースに割り当てられる場合に対応するＳＩＮＲを算出でき、下り制御チャネルを干渉として考慮したＳＩＮＲを算出できる。
【０１００】
前記算出手段は、例えば、前記ユーザ装置が接続したと仮定する周辺セル以外の各セルにおけるリソース使用状態を加味した受信電力を当該周辺セルに対する干渉成分として用いることにより前記ＳＩＮＲを算出する。この構成により、データのリソースへの割り当て状況を考慮してＳＩＮＲを算出できる。
【０１０１】
また、本実施の形態により、移動通信システムにおいて使用される基地局であって、前記基地局が形成する所定のセルに接続されるユーザ装置から、当該所定のセルの受信品質と、１つ又は複数の周辺セルの受信品質を受信する受信手段と、前記受信手段により受信した各セルの受信品質に基づいて、周辺セル毎に、前記ユーザ装置が周辺セルに接続したと仮定した場合における当該周辺セルでのＳＩＮＲを算出する算出手段と、前記算出手段により算出されたＳＩＮＲのうち、所定の閾値よりも大きいＳＩＮＲに対応する周辺セルを、前記ユーザ装置の接続替え先の候補として決定する接続制御手段とを備えることを特徴とする基地局が提供される。
【０１０２】
上記の構成により、ユーザ装置に所定のセルから周辺セルへの接続替えを行わせるオフロード技術において、接続替え後の接続先となる周辺セルにおける所望信号受信品質を改善することを可能とする技術が提供される。
【０１０３】
例えば、前記所定のセルはマクロセルであり、前記周辺セルはスモールセルである。この構成により、マクロセルとスモールセルから構成されるヘテロジニアスネットワークにおいて、接続替え後の接続先となるスモールセルにおける所望信号受信品質を改善することができる。
【０１０４】
なお、本実施の形態で説明した技術により、下りの品質を改善できるばかりでなく、上りの受信電力（ＵＥからｅＮＢへの受信電力）も改善することが可能である。
【０１０５】
本実施の形態で説明した各ユーザ装置ＵＥは、ＣＰＵとメモリを備え、プログラムがＣＰＵ（プロセッサ）により実行されることで実現される構成であってもよいし、本実施の形態で説明する処理のロジックを備えたハードウェア回路等のハードウェアで実現される構成であってもよいし、プログラムとハードウェアが混在していてもよい。
【０１０６】
本実施の形態で説明した各基地局ｅＮＢは、ＣＰＵとメモリを備え、プログラムがＣＰＵ（プロセッサ）により実行されることで実現される構成であってもよいし、本実施の形態で説明する処理のロジックを備えたハードウェア回路等のハードウェアで実現される構成であってもよいし、プログラムとハードウェアが混在していてもよい。
【０１０７】
以上、本発明の実施の形態を説明してきたが、開示される発明はそのような実施形態に限定されず、当業者は様々な変形例、修正例、代替例、置換例等を理解するであろう。発明の理解を促すため具体的な数値例を用いて説明がなされたが、特に断りのない限り、それらの数値は単なる一例に過ぎず適切な如何なる値が使用されてもよい。上記の説明における項目の区分けは本発明に本質的ではなく、２以上の項目に記載された事項が必要に応じて組み合わせて使用されてよいし、ある項目に記載された事項が、別の項目に記載された事項に（矛盾しない限り）適用されてよい。機能ブロック図における機能部又は処理部の境界は必ずしも物理的な部品の境界に対応するとは限らない。複数の機能部の動作が物理的には１つの部品で行われてもよいし、あるいは１つの機能部の動作が物理的には複数の部品により行われてもよい。説明の便宜上、基地局ｅＮＢは機能的なブロック図を用いて説明されたが、そのような装置はハードウェアで、ソフトウェアで又はそれらの組み合わせで実現されてもよい。本発明の実施の形態に従って基地局ｅＮＢが有するプロセッサにより動作するソフトウェアは、ランダムアクセスメモリ（ＲＡＭ）、フラッシュメモリ、読み取り専用メモリ（ＲＯＭ）、ＥＰＲＯＭ、ＥＥＰＲＯＭ、レジスタ、ハードディスク（ＨＤＤ）、リムーバブルディスク、ＣＤ−ＲＯＭ、データベース、サーバその他の適切な如何なる記憶媒体に保存されてもよい。
【０１０８】
本発明は上記実施形態に限定されず、本発明の精神から逸脱することなく、様々な変形例、修正例、代替例、置換例等が本発明に包含される。
【符号の説明】
【０１０９】
ｅＮＢ  基地局
ＵＥ  ユーザ装置
１０１  ＵＬ信号受信部
１０２  ＤＬ信号送信部
１０３  ＣＲＥオフセット値算出部
１０４  オフロード制御部
２０１  ＵＬ信号受信部
２０２  ＤＬ信号送信部
２０３  ロード情報取得部
２０４  ＳＩＮＲ算出部
２０５  オフロード制御部
【図１】
2016096478.tif 000018
【図２】
2016096478.tif 000019
【図３】
2016096478.tif 000020
【図４】
2016096478.tif 000021
【図５】
2016096478.tif 000022
【図６】
2016096478.tif 000023
【図７】
2016096478.tif 000024
【図８】
2016096478.tif 000025
【図９】
2016096478.tif 000026
【図１０】
2016096478.tif 000027
【図１１】
2016096478.tif 000028
【図１２】
2016096478.tif 000029
【図１３】
2016096478.tif 000030
【図１４】
2016096478.tif 000031
【図１５】
2016096478.tif 000032
【図１６】
2016096478.tif 000033
【図１７】
2016096478.tif 000034
【図１８】
2016096478.tif 000035